(57)【要約】【課題】電源オンしてからマイクロコンピュータがＯＳを起動してＯＳに従って光ディスクのデータを出力手段から出力できるまでの起動時間を待つことなく出力手段から音声や映像を出力することができる記録媒体再生装置を提供する。【解決手段】第１のマイクロコンピュータ３の制御によって再生部２から出力手段に対して出力された音声／映像信号を大容量メモリ７に格納しておく。第２のマイクロコンピュータ９が、電源がオンしてから第１のマイクロコンピュータ３がＯＳを起動して光ディスク１０に記録されたデータを出力手段に対して出力させるまでの起動時間中に、前回の再生時に大容量メモリ７に格納された音声／映像信号のうち第１閾値以上の音圧のものをダイジェスト情報として出力手段に出力させる。【選択図】図１
2010129137.tif 000002
【特許請求の範囲】
【請求項１】
記録媒体に記録されたデータを読み取り当該読み取ったデータを出力手段により出力可能な音声／映像信号に変換して前記出力手段に対して出力する再生手段と、オペレーションシステムを起動した後に前記再生手段を制御する第１の制御手段と、を備えた記録媒体再生装置において、
前記再生手段が出力した前記音声／映像信号を格納する格納手段と、
前記第１の制御手段がオペレーションシステムを起動して前記記録媒体に記録されたデータを前記出力手段に対して出力させるまでの起動時間中に、前回の再生時に前記格納手段に格納された前記音声／映像信号のうち第１閾値以上の音圧のものをダイジェスト情報として前記出力手段に対して出力させる第２の制御手段と、
を備えたことを特徴とする記録媒体再生装置。
【請求項２】
前記第２の制御手段が、前記ダイジェスト情報の再生時間と前記起動時間とが等しくなるように前記第１閾値を設定する
ことを特徴とする請求項１に記載の記録媒体再生装置。
【請求項３】
前記第２の制御手段が、前記第１閾値を設定可能な範囲の下限より低い第２閾値以上の音圧の前記音声／映像信号を前記格納手段に格納させる
ことを特徴とする請求項２に記載の記録媒体再生装置。
【発明の詳細な説明】
【技術分野】
【０００１】
本発明は、記録媒体再生装置に関するものである。
【背景技術】
【０００２】
上述した記録媒体再生装置全体の制御を司るマイクロコンピュータは、電源オンに応じてオペレーションシステム（以下ＯＳ）を起動して、そのＯＳに従って光ディスクなどの記録媒体に記録されたデータをディスプレイやスピーカといった出力手段に出力して再生させる処理を実行している。しかしながら、上述した記録媒体再生装置においては、電源をオンしてからマイクロコンピュータがＯＳを起動してＯＳに従って記録媒体に記録されたデータを出力手段に出力できるようになるまでの起動時間が長い。例えば、民生品ではこの起動時間が数１０秒〜１分程度もある。よって、電源オンしてから数１０秒〜１分程度の起動時間が経過するまで出力手段から音声や映像の出力がされず、ユーザはその間待たなくてはいけない、という問題があった。
【０００３】
特に車載対応品の再生装置の場合、上記起動時間中に車を発進させることになり、すぐに映像を見られないことになってしまう。また、音声や映像が出力されるまで待つ場合でも、アイドリング時間が長くなり、燃費や地球環境に良くない影響を与えてしまう。
【発明の開示】
【発明が解決しようとする課題】
【０００４】
本発明は、かかる問題を解決することを目的としている。即ち、本発明は、例えば、電源オンしてからマイクロコンピュータなどの制御手段がＯＳを起動してＯＳに従って記録媒体のデータを出力手段から出力できるまでの起動時間を待つことなく出力手段から音声や映像を出力することができる記録媒体再生装置を提供することを目的としている。
【課題を解決するための手段】
【０００５】
請求項１記載の発明は、記録媒体に記録されたデータを読み取り当該読み取ったデータを出力手段により出力可能な音声／映像信号に変換して前記出力手段に対して出力する再生手段と、オペレーションシステムを起動した後に前記再生手段を制御する第１の制御手段と、を備えた記録媒体再生装置において、前記再生手段が出力した前記音声／映像信号を格納する格納手段と、前記第１の制御手段がオペレーションシステムを起動して前記記録媒体に記録されたデータを前記出力手段に対して出力させるまでの起動時間中に、前回の再生時に前記格納手段に格納された前記音声／映像信号のうち第１閾値以上の音圧のものをダイジェスト情報として前記出力手段に対して出力させる第２の制御手段と、を備えたことを特徴とする記録媒体再生装置に存する。
【発明を実施するための最良の形態】
【０００６】
以下、本発明の一実施の形態に係る記録媒体再生装置を説明する。本発明の一実施の形態にかかる記録媒体再生装置は、第１の制御手段の制御によって再生手段から出力手段に対して出力された音声／映像信号を格納手段に格納しておき、第２の制御手段が、電源がオンしてから第１の制御手段がＯＳを起動して記録媒体に記録されたデータを出力手段に対して出力させるまでの起動時間中に、前回の再生時に格納手段に格納された音声／映像信号のうち第１閾値以上の音圧のものをダイジェスト情報として出力手段に出力させるので、第１の制御手段の起動時間を待つことなく、第２の制御手段により電源オンしてからすぐに出力手段からダイジェスト情報である音声や映像を出力することができる。
【０００７】
また、第２の制御手段が、ダイジェスト情報の再生時間と起動時間とが等しくなるように第１閾値を設定するので、起動時間に対してダイジェスト情報の再生時間が足りなかったり余ったりしないようにできる。
【０００８】
また、第２の制御手段が、第１閾値を設定可能な範囲の下限より低い第２閾値以上の音圧の音声／映像信号を格納手段に格納させるので、再生された全ての音声／映像信号を格納手段に格納する場合に比べて格納手段に格納される音声／映像信号を少なくすることができる。
【実施例】
【０００９】
本発明の一実施例にかかる記録媒体再生装置としての光ディスク再生装置１を図１乃至図５を参照して説明する。光ディスク再生装置１は、図１に示すように再生手段としての再生部２と、第１の制御手段としての第１のマイクロコンピュータ３と、音声／映像信号出力端子４と、操作部５と、表示部６と、格納手段としての大容量メモリ７と、音圧検知部８と、第２の制御手段としての第２のマイクロコンピュータ９と、を備えている。
【００１０】
上記再生部２は、ディスクモータ２１と、光ピックアップ２２と、キャリッジモータ２３と、リードスクリュー２４と、ＲＦアンプ２５と、サーボ信号処理部２６と、ドライバ２７と、音声／映像信号処理部２８と、メモリ２９と、ＤＡコンバータ３０と、を備えている。
【００１１】
上記ディスクモータ２１は、光ディスク再生装置１にセットされた記録媒体としての光ディスク１０を回転させるためのモータであり、スピンドルモータなどで構成されている。光ピックアップ２２は、光ディスク１０に照射するレーザ光を発生させるレーザダイオードや、光ディスク１０上にレーザダイオードからのレーザ光を集光するための対物レンズ、サーボ信号処理部２６からの信号によりフォーカス方向やトラッキング方向に対物レンズを駆動するためのアクチュエータおよび光ディスク１０から反射された反射光を受けるフォトダイオードや、レーザ光を対物レンズへ導いたり、反射光を受光器へ導く光学系などを備え、フォトダイオードの出力から光ディスク１０に記録されている映像や音楽などのトラックデータを含むＲＦ信号やフォーカスエラー信号およびトラッキングエラー信号などを生成しＲＦアンプ２５へ出力する。
【００１２】
キャリッジモータ２３は、後述するリードスクリュー２４を通じて光ピックアップ２２を光ディスク１０の径方向に移動させるためのモータでありステッピングモータなどで構成されている。リードスクリュー２４は、円柱状に形成されてその外周面にネジ溝とネジ山が形成され、光ディスク１０の径方向と平行に設置されている。リードスクリュー２４は、キャリッジモータ２３の回転軸と機械的に接続されておりキャリッジモータ２３の回転に合わせて回転する。リードスクリュー２４のネジ溝やネジ山は光ピックアップ２２に形成された図示しないネジ山やネジ溝と噛み合っており、リードスクリュー２４が回転することで光ピックアップ２２が光ディスク１０の径方向に沿って移動する。
【００１３】
ＲＦアンプ２５は、光ピックアップ２２から入力される信号を所定の値に増幅し、サーボ信号処理部２６へ出力する。サーボ信号処理部２６は、ＲＦアンプ２５から入力されるフォーカスエラー信号やトラッキングエラー信号などの制御信号を基に光ピックアップ２２のアクチュエータを駆動させてフォーカスおよびトラッキングの制御などを行い光ディスク１０に記録された情報を正確に読めるようにする。さらに、光ディスク１０に記録された映像や音楽などを含むＲＦ信号をアナログ／デジタル変換して音声／映像信号処理部２８へ出力する。
【００１４】
ドライバ２７は、サーボ信号処理部２６から出力された信号からディスクモータ２１および光ピックアップ２２のアクチュエータおよびキャリッジモータ２３への駆動信号を生成し出力する。音声／映像信号処理部２８は、サーボ信号処理部２６から入力された信号にエラー訂正などを行った後復調やデコードを行いメモリ２９へ出力する。そして、音声／映像信号処理部２８は、第１のマイクロコンピュータ３からの要求に従ってメモリ２９に格納されたデータを読み出してＤＡコンバータ３０へ出力する。
【００１５】
メモリ２９は、振動などによって再生が途切れないように所定量一時的に音声／映像信号処理部２８で再生された音声や映像などのデータを格納するためのメモリであり、半導体メモリで構成される。ＤＡコンバータ３０は、メモリ２９に格納されたデータが入力され、そのデジタル信号であるデータをアナログに変換し音声／映像信号出力端子４から出力する。これにより、音声／映像信号出力端子４に接続されたスピーカやディスプレイといった図示しない出力手段に音声／映像信号が出力され、再生される。即ち、再生部２は、光ディスク１０に記録されたデータを読み取り、その読み取ったデータを出力手段により出力可能な音声／映像信号に変換して出力手段に対して出力する。
【００１６】
第１のマイクロコンピュータ３は、ＣＰＵ(Central Processing Unit)と、ＲＡＭ(Random Access Memory)と、ＲＯＭ(Read Only Memory)とを内蔵し、光ディスク１０の挿入や排出、再生や停止および電源のオンオフなど各操作における光ディスク再生装置１全体の制御などを行う。第１のマイクロコンピュータ３は、電源のオンに応じてＯＳを起動した後に、このＯＳに従って光ディスク再生装置１全体の制御を行う。
【００１７】
操作部５は、例えば光ディスク再生装置１の前面などに設けられた複数のボタンやリモコンなどで構成され、ユーザが光ディスク再生装置１に対する各種操作を行い、その操作に対応した操作コマンドを第１のマイクロコンピュータ３および後述する第２のマイクロコンピュータ９へ出力する。表示部６は、例えば液晶ディスプレイや蛍光表示管などで構成され、光ディスク再生装置１の動作状態や再生されているトラック番号などを表示する。
【００１８】
大容量メモリ７は、ＤＡコンバータ３０即ち再生部２から出力した音声／映像信号を格納するためのメモリである。音圧検知部８は、大容量メモリ７に格納された音声／映像信号から第１閾値以上の音圧のものを検知する処理を行う。第２のマイクロコンピュータ９は、ＣＰＵと、ＲＡＭと、ＲＯＭと、を内蔵している。第２のマイクロコンピュータ９は、第１のマイクロコンピュータ３とは別に設けられていて、ＯＳとは無関係に動作する。第２のマイクロコンピュータ９は、電源がオンしてから第１のマイクロコンピュータ３がＯＳを起動して光ディスク１０に記録されたデータを出力手段に出力させるまでの起動時間中に、前回の再生時に大容量メモリ７に格納された音声／映像信号のうち音圧検知部８により検知された第１閾値以上の音圧のものをダイジェスト情報として音声／映像信号出力端子４から出力する。上記起動時間は予め求められる時間である。そこで、第２のマイクロコンピュータ９は、ダイジェスト情報の再生時間と上記起動時間とが等しくなるように第１閾値を設定する。
【００１９】
次に、上記概略で説明した光ディスク再生装置１の動作を図２〜図４のフローチャートを参照して説明する。まず、電源のオンに応じて第１のマイクロコンピュータ３は、ＯＳを起動する（図２のステップＳ１）。ＯＳの起動が終了すると、第１のマイクロコンピュータ３は、再生部２を制御して光ディスク１０の再生を行う再生処理を行う（ステップＳ２）。この第１のマイクロコンピュータ３の再生処理により再生部２が、光ディスク１０からのデータを読み取って、音声／映像信号を音声／映像信号出力端子４から出力する。
【００２０】
また、上述した第１のマイクロコンピュータ３の再生処理の開始に応じて、第２のマイクロコンピュータ９は、図３に示す処理を開始する。即ち、第２のマイクロコンピュータ９は、音声／映像信号出力端子４から出力されて再生される音声／映像信号を全て大容量メモリ７内に蓄える（図３のステップＳ１１）。次に、第２のマイクロコンピュータ９は、電源がオフ操作されると（ステップＳ１２でＹ）、音圧検知部８の第１閾値を初期値に設定する（ステップＳ１３）。その後、第２のマイクロコンピュータ９は、音圧検知部８を制御して大容量メモリ７に格納された音声／映像信号のうち第１閾値以上の音圧のものを検知させる（ステップＳ１４）。その結果、第１閾値以上の音圧の音声／映像信号の再生時間が上記起動時間と等しければ（ステップＳ１５でＹ）、この第１閾値以上の音圧の音声／映像信号をダイジェスト情報とし、アドレス情報、時間情報など上記ダイジェスト情報の再生に必要な情報を記憶して（ステップＳ１６）、処理を終了する。
【００２１】
これに対して、第１閾値以上の音圧の音声／映像信号の再生時間が上記起動時間と等しくなければ（ステップＳ１５でＮ）、第２のマイクロコンピュータ９は、第１閾値以上の音圧の音声／映像信号の再生時間が上記起動時間より短いか否かを判断する（ステップＳ１７）。結果、短ければ（ステップＳ１７でＹ）、第２のマイクロコンピュータ９は、第１閾値が高くダイジェスト情報の再生時間が短くなると判断して第１閾値を下げた後に（ステップＳ１８）、ステップ１４に戻る。一方、長ければ（ステップＳ１７でＹ）、第２のマイクロコンピュータ９は、第１閾値が低くダイジェスト情報の再生時間が長くなると判断して第１閾値を上げた後に（ステップＳ１９）、ステップＳ１４に戻る。以上の図３に示す動作により、再生部２から出力手段に対して出力された音声／映像信号を大容量メモリ７に格納することができる。さらに、ダイジェスト情報の再生時間と起動時間とが等しくなるように第１閾値を設定することができる。
【００２２】
また、上記第２のマイクロコンピュータ９は、電源のオンに応じて図４に示す処理を開始する。即ち、第２のマイクロコンピュータ９は、上記ステップＳ１６で記憶したアドレス情報、時間情報などに基づいて大容量メモリ７に記憶された前回再生された音声／映像信号のうち第１閾値以上の音圧のダイジェスト情報を音声／映像信号出力端子４から出力させる（ステップＳ２１）。第２のマイクロコンピュータ９は、ＯＳを起動しないで内蔵されたＲＯＭに格納されたプログラムに従って処理を行うコンピュータである。また、大容量メモリ７に格納された音声／映像信号は音声／映像信号出力端子４から直接出力することができる信号である。よって、電源がオンしてからすぐに第２のマイクロコンピュータ９の制御によりダイジェスト情報が音声／映像信号出力端子４から出力される。これにより、第１のマイクロコンピュータ３が起動している間に、音声／映像信号出力端子４に接続されたディスプレイやスピーカといった出力手段からダイジェスト情報が出力され再生される。このダイジェスト情報の再生が終了すると、第２のマイクロコンピュータ９は、大容量メモリ７に記憶した音声／映像信号を消去した後（ステップＳ２２）、処理を終了する。
【００２３】
上述した光ディスク再生装置１によれば、第２のマイクロコンピュータ９が、電源がオンしてから第１のマイクロコンピュータ３がＯＳを起動して光ディスク１０に記録されたデータを音声／映像信号出力端子４から出力させるまでの起動時間中に、前回の再生時に大容量メモリ７に格納された音声／映像信号のうち第１閾値以上の音圧のものをダイジェスト情報として音声／映像信号出力端子４から出力させる。これにより、第１のマイクロコンピュータ３の起動時間を待つことなく、第２のマイクロコンピュータ９により電源オンしてからすぐにディスプレイやスピーカから出力手段からダイジェスト情報である音声や映像を出力することができる。
【００２４】
また、光ディスク再生装置１によれば、第２のマイクロコンピュータ９がダイジェスト情報の再生時間と起動時間とが等しくなるように第１閾値を設定する。例えば、図５（Ａ）に示すように、第１閾値の初期値を超える音圧が少ないコンテンツの場合、第１閾値を固定にしておくと、ダイジェスト情報の再生時間が起動時間に対して短くなり、ダイジェスト情報の再生が終了しても第１のマイクロコンピュータ３の起動が終了せずに、映像や音声が出力されない恐れがある。しかしながら、本実施例では、第２のマイクロコンピュータ９により第１閾値が初期値から下げられるため、ダイジェスト情報の再生時間が起動時間に対して足りなくなるのを防ぐことができる。また、図５（Ｂ）に示すように、第１閾値の初期値を超える音圧が多いコンテンツの場合、第１閾値を初期値に固定しておくと、ダイジェスト情報の再生時間が起動時間に対して長くなり、本編を再生しているのと変わらない恐れがある。しかしながら、本実施例では、第２のマイクロコンピュータ９により第１閾値が初期値から引き上げられるため、ダイジェスト情報の再生時間が起動時間に対して長くなることを防ぐことができる。
【００２５】
なお、上述した実施例によれば、大容量メモリ７には再生された全ての音声／映像信号を格納していたが、本発明はこれに限ったものではない。例えば、第１閾値を設定可能な範囲の下限より低い第２閾値を設定して第２閾値以上の音圧の音声／映像信号のみを大容量メモリ７に格納するようにしてもよい。すなわち、第２閾値を下回る音圧の音声／映像信号は、ダイジェスト情報として再生することがないので大容量メモリ７に格納する必要がない。この場合、再生された全ての音声／映像信号を大容量メモリ７に格納する場合に比べて大容量メモリ７に格納される音声／映像信号を少なくすることができる。
【００２６】
また、上述した実施例によれば、大容量メモリ７に格納された音声／映像信号からダイジェスト情報を判断した際にダイジェスト情報の再生に必要な情報を記憶して処理を終了していたが、本発明はこれに限ったものではない。例えば、ダイジェスト情報と判断した音声／映像信号だけを大容量メモリ７とは別の小容量の不揮発性メモリに格納し、大容量メモリ７に格納された音声／映像信号を全て削除してもよい。この場合、大容量メモリ７を揮発性メモリで構成できるためコストダウンが可能となる。
【００２７】
また、上述した実施例によれば、第１閾値を可変にしていたが、本発明はこれに限ったものではない。第１閾値を初期値に固定するようにしてもよい。
【００２８】
また、上述した実施例によれば、電源のオフに応じてダイジェスト情報の判断を行い、電源のオンに応じて図４に示す処理を行っているが、本発明はこれに限ったものではない。例えば、光ディスク再生装置１とナビゲーションやテレビを組み合わせた電子機器において、光ディスク１０を再生してから他のソースに切り換えた際にダイジェスト情報の判断を行い、その後、再度光ディスク１０を再生する際に図４に示す処理を行わせてもよい。
【００２９】
前述した実施例に拠れば、以下の光ディスク再生装置１が得られる。
【００３０】
（付記１）光ディスク１０に記録されたデータを読み取り当該読み取ったデータを出力手段により出力可能な音声／映像信号に変換して出力手段に対して出力する再生部２と、ＯＳを起動した後に再生部２を制御する第１のマイクロコンピュータ３と、を備えた光ディスク再生装置１において、
前記再生部２が出力した音声／映像信号を格納する大容量メモリ７と、
前記第１のマイクロコンピュータ３がＯＳを起動して光ディスク１０に記録されたデータを前記出力手段に対して出力させるまでの起動時間中に、前回の再生時に前記大容量メモリ７に格納された音声／映像信号のうち第１閾値以上の音圧のものをダイジェスト情報として前記出力手段に対して出力させる第２のマイクロコンピュータ９と、
を備えたことを特徴とする光ディスク再生装置１。
【００３１】
この光ディスク再生装置１によれば、第１のマイクロコンピュータ３の起動時間中にダイジェスト情報を再生できるので、起動時間を待つことなくダイジェスト情報を再生することができる。
【００３２】
また、前述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００３３】
【図１】本発明の光ディスク再生装置の一実施の形態を示す概要構成図である。
【図２】図１に示す第１のマイクロコンピュータの処理手順を示すフローチャートである。
【図３】図１に示す第２のマイクロコンピュータの処理手順を示すフローチャートである。
【図４】図１に示す第２のマイクロコンピュータの処理手順を示すフローチャートである。
【図５】第２のマイクロコンピュータの動作を説明するための説明図である。
【符号の説明】
【００３４】
１    光ディスク再生装置（記録媒体再生装置）
２    再生部（再生手段）
３    第１のマイクロコンピュータ（第１の制御手段）
７    大容量メモリ（格納手段）
９    第２のマイクロコンピュータ（第２の制御手段）
１０  光ディスク（記録媒体）
【図１】
2010129137.tif 000003
【図２】
2010129137.tif 000004
【図３】
2010129137.tif 000005
【図４】
2010129137.tif 000006
【図５】
2010129137.tif 000007